(57)【要約】【課題】通信販売の美術作品の購入を簡単にできるようにする。【解決手段】出版元Ａは、印刷元がデジタル化して保有する販売希望の美術作品のサンプル情報とネット上に開設した携帯電話用の購入サイトのＵＲＬをエンコードした２次元バーコードを印刷した申込みハガキを綴じ込んで出版物を出版する。その出版された出版物の綴じ込みハガキを見た購入希望者が、ハガキの２次元バーコードを携帯電話３で読み取り、読み取ったＵＲＬの購入サイトで購入手続きを済ませる。すると、その購入手続きに関するデータが印刷元へ転送され、印刷元では、転送された前記購入手続きに関するデータに基づいて保有する美術作品のデータの中から該当するデータを選び出し、印刷して購入者へ発送することで、通信販売での美術作品の購入を簡単にできるようにする。【選択図】図１
2005190145.tif 000002
【特許請求の範囲】
【請求項１】
通信販売用の申込みハガキを綴じ込んだ出版物の出版元と、保有するデジタル化した美術作品のデータを忠実に再現できる印刷手段を有する印刷元とで構成され、
上記出版元では、印刷元が保有する販売希望の美術作品データのサンプル情報に加えてネット上に開設した携帯電話用の購入サイトのＵＲＬをエンコードした２次元バーコードを印刷した上記申込みハガキを綴じ込んで出版物を出版し、
一方、その出版された出版物の綴じ込みハガキを見た購入希望者が、ハガキの２次元バーコードを２次元バーコード読み取りに対応した携帯電話で読み取り、読み取ったＵＲＬに基づいて購入サイトで購入手続きを済ませると、その購入手続きに関するデータが印刷元へ転送され、前記データの転送された印刷元では、転送された前記購入手続きに関するデータに基づいて保有する美術作品のデータの中から該当するデータを選び出し、印刷して購入者へ発送するデジタル化した美術作品の販売方法。
【発明の詳細な説明】
【技術分野】
【０００１】
この発明は、デジタル化した美術作品の通信販売を、出版物の綴じ込みハガキと２次元バーコードを用いてオンデマンドで行えるようにしたデジタル化した美術作品の販売方法に関するものである。
【背景技術】
【０００２】
デジタル印刷技術の進歩により、例えば、リトグラフ、絵画、写真・・・などの芸術性の高い美術作品の複製品を作る場合でもオリジナルに忠実に再現できるようになっている。
【０００３】
ところで、上記の複製美術作品の販売は、ブームになって一気に沢山売れる場合もあるが、芸術性が高い美術作品は、嗜好的要因も強く働くので、長期間かかってジワジワと売れる場合もある。
【０００４】
そのため、前記美術作品をデジタルデータ化して注文を受けたその都度印刷して販売するようにすれば、どちらの売れ方にも対処できるので好都合である。
【０００５】
このような販売方法として、例えば〔特許文献１〕に示すようなインターネットを利用した書画の販売方法がある。
【０００６】
この方法では、販売する書画のサイズ、価格、複製の形態などのデータベースを備え、イメージデータも表示できるようにしたサーバをインターネット上に構築してホームページを公開する。一方、購入希望者は、各自の端末からインターネットを介して先のホームページへアクセスし、データベースを検索して欲しいものを探してページ上から注文する。すると、注文を受けるごとにサーバがインターネットを介して製作者（著作者）へ発注し、発注したものができあがると購入希望者へ配送するようになっている。
【０００７】
ところが、このようにホームページ上で購入希望者を募る方法では、ホームページの認知度が低いとアクセスが増えないため、販売数の向上が見込めない。また、口コミによる利用者の向上が期待されるが、口コミによる認知度の向上は確実性に乏しいので販売数の増加に反映されるか疑問である。
【０００８】
一方、通信販売の一形態として、雑誌などの出版物にハガキと一緒になった申込み用紙を綴じ込んで、ＦＡＸや郵便で商品の購入希望を受け付ける方法がある。
【０００９】
この方法は、雑誌のターゲットとする読者層に絞った商品の広告ができるので例えば、美術雑誌などに美術作品（例えば、リトグラフ、絵画、写真・・・）の申込みハガキを付ければ、ホームページで購入希望を募ったり、口コミを期待するより効果が挙がると考えられる。
【特許文献１】特開２００２−１８９９０２号公報
【発明の開示】
【発明が解決しようとする課題】
【００１０】
しかしながら、当然ではあるが、上記の綴じ込みハガキでは、購入を申し込む際には、必要事項を記入してポストまで出しに行ったり、ＦＡＸの所へ行かなければならないので、つい億劫になり購入までの敷居を高くしてしまっている。
【００１１】
また、郵送されたハガキやＦＡＸされた申込み用紙は、その都度、直接商品の販売先に送られる場合もあるが、一旦出版元に送られて集計されてから販売先に送られる場合もあり、いずれの場合も記載漏れなどの人手による確認作業の後、配送処理を行うので商品が購入希望者の手元に届くまでに時間がかかる。
【００１２】
そこで、この発明の課題は、購入を簡単にできるようにすること、商品が購入希望者の手元に届くまでの時間を短縮できるようにすることである。
【課題を解決するための手段】
【００１３】
上記の課題を解決するため、この発明では、通信販売用の申込みハガキを綴じ込んだ出版物の出版元と、保有するデジタル化した美術作品のデータを忠実に再現できる印刷手段を有する印刷元とで構成され、上記出版元では、印刷元が保有する販売希望の美術作品データのサンプル情報に加えてネット上に開設した携帯電話用の購入サイトのＵＲＬをエンコードした２次元バーコードを印刷した上記申込みハガキを綴じ込んで出版物を出版し、一方、その出版された出版物の綴じ込みハガキを見た購入希望者が、ハガキの２次元バーコードを２次元バーコード読み取りに対応した携帯電話で読み取り、読み取ったＵＲＬに基づいて購入サイトで購入手続きを済ませると、その購入手続きに関するデータが印刷元へ転送され、前記データの転送された印刷元では、転送された前記購入手続きに関するデータに基づいて保有する美術作品のデータの中から該当するデータを選び出し、印刷して購入者へ発送するという構成を採用したのである。
【００１４】
このような構成を採用することにより、雑誌を買った読者は申込みハガキを見て気に入ったものが見つかるとＦＡＸや郵送でも良いが、２次元バーコード読み取り対応の携帯電話を持っていれば、その携帯をハガキの２次元バーコードに翳して携帯電話に読み取らせる。すると、携帯電話は、２次元バーコードからＵＲＬのデータを読み取るので、読み取ったＵＲＬへジャンプすれば、購入サイトへ直行して簡単に購入手続きを済ませることができる。
【００１５】
また、購入手続きを済ませると（記載漏れや誤字などの確認作業はサイトでの購入手続きの際に行われる）、そのデータが印刷元へ転送され、保有するデータの中から該当するものを印刷して発送するので、迅速に処理できる。
【発明の効果】
【００１６】
この発明は、上記のように構成したことにより、美術作品の通信販売をターゲットを絞って宣伝をするとともに、購入がより簡単、かつ、迅速に行えるので、販売増が期待できる。
【発明を実施するための最良の形態】
【００１７】
以下、この発明の実施の形態を図面に基づいて説明する。
【００１８】
この形態は、図１に示すように、雑誌などの出版物（以下、雑誌）１に綴じ込まれた申込み用紙２と、カメラ付き携帯電話３と、出版元Ａのサーバ４と、印刷元Ｂのデータベース５と印刷手段６とで構成されている。
【００１９】
申込み用紙２は、図２（ａ）、（ｂ）に示すように、一方をハガキ欄とし、他方を作品の紹介欄にしたもので、紹介欄には作品の写真とともに２次元バーコード７を印刷してある。この２次元バーコード（例えば、ＱＲコードなど）７は、図３に示すように、水平方向と垂直方向に情報を持つコードで、英数文字の他、漢字、カナ、バイナリーデータなども記載することができる。ここでは、携帯電話用の購入サイトのＵＲＬを記載するために用いたものであるが、ＵＲＬばかりでなく、例えば作品名、作品の値段、掲載雑誌名、その雑誌の号数・・・などの情報をエンコードして載せることもできる。このような情報を載せることができれば、購入サイトでの手続きを少なくできるので好都合である。
【００２０】
カメラ付き携帯電話３は、図４に示すように、１００万画素以上の解像度のカメラ９を有し、２次元バーコード７のデコード用エンジンを備えたもので、カメラ９で写した２次元バーコード７の画像を認識させると、記載されたデータを読み取れるようになっている。
【００２１】
出版元Ａのサーバ４は、インターネットＩ上に、先にも述べたように、携帯電話用の購入サイトを開設するためのもので、開設されたサイトでは、作品の購入申込み用のページを表示するようになっている。
【００２２】
購入申込み用のページは、例えば図５（ａ）に示すような購入作品を選択するためのページと、図５（ｂ）に示す「住所」、「氏名」、「送り先」・・・などの個人情報の入力ページとで構成する周知のものでよいが、個人情報の流失を防ぐために、セキュリティは万全にする必要がある。これ以外にも、サーバ４を携帯電話の事業者８内に置いて、個人認証や課金の委託をするようにしてもよい。こうするとセキュリティの面で有利である。
【００２３】
また、こうして購入申込みを受け付けると、受け付けた旨を印刷元Ｂへ知らせる。この発注は、メールサーバを設けてメールの自動応答などを用いて知らせるようにしても良いし、別の方法として電話やＦＡＸなどで知らせるようにしてもよい。
【００２４】
印刷元Ｂは、先の作品を含む複数の美術作品をスキャナなどでもってデジタル化したデータベース５と、そのデータベース５のデータを使って忠実に複製を再現できる高精彩なプリンタを印刷手段６として備えており、例えば、画像処理したデータを特種インクを用いたシルク・ジェットスクリーンプリンタで紙を始め布などにも印刷して、「ぼかし」や「すかし」などの表現もできるようにしたものである。
【００２５】
また、印刷元Ｂには、インターネットＩに接続されたメール受信用の端末を備えれば、メールによる発注を受けられるので、ここでは、そのようにしてある。
【００２６】
この形態は、上記のように構成されており、例えば、販売を委託する印刷元Ｂでは、販売作品の写真と簡単な説明書きを印刷したハガキ付きの申込み用紙２を印刷して出版元Ａへ発送する。出版元Ａでは、発送された用紙２が到着すると、その用紙２を綴じ込んで雑誌１を製本して発売する。
【００２７】
雑誌１を買った読者は、読者層を絞って関連付けた申込み用紙２の作品に興味を呈する度合いは高く、興味を持つと考えられる。
【００２８】
いま、雑誌１を見て綴じ込みの申込み用紙２の内容に興味を持った読者が購入を希望する場合は、所有する２次元バーコード読み取り機能付きのカメラ付き携帯電話３で、図６に示すように、用紙２の２次元バーコード７を写して、読み取り処理をさせると、２次元バーコード７に記載されたＵＲＬが携帯電話３に入力される。したがって、入力されたＵＲＬへジャンプすれば、作品の購入ページへログインすることができる。購入ページでは、図５（ａ）に示すように、購入作品を選択し、個人情報のページでは図５（ｂ）のように、「住所」、「氏名」、「送り先」などの個人情報を入力する。
【００２９】
このように、購入の手続きが済むと、出版元Ａでは、例えば購入者に購入の確認のメールを送信し、印刷元Ｂへは、購入者の申込み情報の転送を行う。この確認と転送はメールの自動送信で行うようにしてもよいし、ファックスや電話を使ってもよい。
【００３０】
印刷元Ｂでは、申込み情報の転送を受け付けると、申込みのあった作品をデータベース５から検索する。そして、検索したデータを印刷手段６へ入力して作品を出力させ、出力した作品を、例えば額縁などに入れて飾れるようにして購入希望者へ発送する。
【００３１】
このように、２次元バーコード７を携帯電話３のカメラで写すだけで購入ぺージへジャンプして購入手続きをとれるので、購入が簡単にできる。また、先のように通信を使った購入の手続きが済むと、直ぐに作品を印刷して発送作業に入ることができるので、商品が購入希望者の手元に届くまでの時間を短縮できる。
【産業上の利用可能性】
【００３２】
以上のような簡便な購入方法を、さまざまなジャンルの雑誌の読者層に合わせた商品で実施すれば、美術作品に限らず他のカテゴリーの商品の販売増も期待できる。
【図面の簡単な説明】
【００３３】
【図１】実施形態のブロック図
【図２】（ａ）、（ｂ）実施形態の申込み用紙の正面図
【図３】２次元バーコードの作用説明図
【図４】カメラ付き携帯電話の正面図
【図５】（ａ）、（ｂ）購入サイトの表示例を示す図
【図６】実施形態の作用説明図
【符号の説明】
【００３４】
１  雑誌
２  申込み用紙
３  カメラ付き携帯電話
４  サーバ
５  データベース
６  印刷手段
７  ２次元バーコード
Ａ  出版元
Ｂ  印刷元
Ｉ  インターネット
【図１】
2005190145.tif 000003
【図２】
2005190145.tif 000004
【図３】
2005190145.tif 000005
【図４】
2005190145.tif 000006
【図５】
2005190145.tif 000007
【図６】
2005190145.tif 000008